(57)【要約】【課題】照明装置に強い力がかかっても、照明装置の光照射方向変更を妨げずに天井板等からの脱落・落下を防止すること。【解決手段】下面５ａと上面５ｂを備える板材（５）に設けられた取付穴６に設置可能な照明装置１であって、取付穴６に嵌め込まれて固定される取付枠３と、取付枠６に回転可能に嵌め込まれる本体２と、取付枠３の下面における取付穴から露出する部分に係合される化粧枠４を備え、化粧枠４の上面の一部が、本体２を支持可能である。【選択図】図１
2018060752.tif 000002
【特許請求の範囲】
【請求項１】
下面と上面を備える板材に設けられた取付穴に設置可能な照明装置であって、
前記取付穴に嵌め込まれて固定される取付枠と、
前記取付枠に回転可能に嵌め込まれる本体と、
前記取付枠の下面に係合される化粧枠を備え、
前記化粧枠の上面の一部が、前記本体を支持可能であることを特徴とする照明装置。
【請求項２】
前記化粧枠は、前記化粧枠の下面以外の部分に前記取付枠との係合構造を備える、請求項１記載の照明装置。
【請求項３】
前記化粧枠と前記取付枠の係合構造として、前記化粧枠に鉤部を備え、前記取付枠に切欠き部を備える、請求項２記載の照明装置。
【請求項４】
前記化粧枠の開口領域は、前記取付枠の開口領域よりも小さい、請求項１から３のいずれか１項に記載の照明装置。
【請求項５】
前記化粧枠の開口領域、及び前記取付枠の開口領域は共に円形である、請求項１から４のいずれか１項に記載の照明装置。
【発明の詳細な説明】
【技術分野】
【０００１】
本発明は、照明の本体部分の落下を防止する構造を備えた照明装置に関する。
【背景技術】
【０００２】
従来、天井板あるいは棚板などの板に設けられた穴を覆うように設置されて使用される、いわゆるダウンライトなどの埋込型の照明装置が知られている。
【０００３】
特許文献１には、回動・首振り機能を備えたダウンライトであるユニバーサルダウンライトにおいて、照明器具の回動のため、灯具を支える内枠と内枠を回動可能に支える外枠を備え、内枠を取付バネで支持する構造が開示されている。取付バネは、外枠の周方向に配置された複数個（３箇所）の取付バネ支持部に配設される。取付バネは、端部に径方向内側にＶ字状に突出する係止部である曲げ部を有している。曲げ部は、内枠の側部に設けられる被係止部に係止可能であり、内枠の上下方向の動きを規制する、とされている。
【先行技術文献】
【特許文献】
【０００４】
【特許文献１】特開２０１５−１６４０９８号公報
【発明の概要】
【発明が解決しようとする課題】
【０００５】
特許文献１の照明装置の取付構造だけでは、取付バネの力を上回る強い力がかかった場合、内枠及び内枠に支えられた照明器具が設置位置から脱落又は落下するおそれがある。特に、照明器具を軒下に設置する場合、台風などにより屋外と天井裏の気圧差による強い力がかかる場合があるため、十分な脱落又は落下対策が必要になる。
【０００６】
本発明は、このような事情に鑑みなされたものであり、ダウンライトなどの天井設置用の照明装置において、部品点数を抑えた簡単な構造でありながら、光の照射方向の変更を妨げないように照明装置の本体部分を回動可能に支持でき、器具に力がかかっても脱落・落下しない構造を備えたものを提供することを目的とする。
【課題を解決するための手段】
【０００７】
上記課題を解決するために、本願発明は、下面と上面を備える板材に設けられた取付穴に設置可能な照明装置であって、前記取付穴に嵌め込まれて固定される取付枠と、前記取付枠に回転可能に嵌め込まれる本体と、前記取付枠の下面における前記取付穴から露出する部分に係合される化粧枠を備え、前記化粧枠の上面の一部が、前記本体を支持可能であることを特徴とする。
【発明の効果】
【０００８】
本願発明によれば、照明装置において、光の照射方向の変更を担保しつつ、本体を確実に支持し、本体の落下を回避又は抑制できる。
【図面の簡単な説明】
【０００９】
【図１】本発明の一実施形態に係る照明装置の外観を示す分解斜視図
【図２】照明装置の天井に設置された状態を示す模式図
【図３】照明装置の側面図
【図４】照明装置の断面図
【図５】（ａ）取付部材の記載を省略した取付枠の構造を詳細に示す図、（ｂ）フランジ部に設けた切欠き部を示す図
【図６】（ａ）化粧枠の下面側からみた外観を示す図、（ｂ）化粧枠の上面側からみた外観を示す図
【図７】（ａ）環状部と鉤部の係合前の状態について説明する図、（ｂ）環状部と鉤部とが係合した状態について説明する図
【図８】天井に照明装置が嵌め込まれたときの化粧枠と取付枠の配置を示す図
【発明を実施するための形態】
【００１０】
以下、本発明の好適な実施形態について、図面を参照しつつ説明する。
【００１１】
＜１．第１実施形態＞
図１は、本発明の第１実施形態に係る照明装置１の外観を示す分解斜視図であり、取付部材の一例である天井５に設けられた取付穴６に嵌め込まれて設置される前の状態を模式的に示している。図２は、照明装置１の天井５に設置された状態を示す模式図である。図３は、照明装置１の側面図である。図４は、照明装置１の断面図である。
【００１２】
照明装置１は、取付部材に固定されて下方へ光を照射するダウンライト、より詳細には、光の照射方向が可変であるユニバーサルダウンライトである。照明装置１は、天井５の下面５ａ側から取付穴６に嵌め込まれて使用される。照明装置１は、光源を備え光を出射する本体２と、本体２を天井５に固定するための取付枠３と、取付枠３の下面上に取り付けて美観を向上させるための化粧枠４とを備える。
【００１３】
本体２は、図３に示すように、ヒートシンク２１、上胴体部２２、及び下胴体部２３を含んで構成される。
【００１４】
ヒートシンク２１は、金属製の放熱部材であり、上胴体部２２に密着して配置される。ヒートシンク２１は、主に、光源２７から発せられ上胴体部２２より伝えられる熱を放熱する。
【００１５】
上胴体部２２は、図４に示すように、内部に光源２７と、光源２７から発せられる光を反射する反射板２８とを含んで構成される。上胴体部２２には、図１に示すように光源２７等に電力を供給するための電源線２５、及び落下防止のためのワイヤ２６が接続される。
【００１６】
光源２７は、一例としてＬＥＤ（Ｌｉｇｈｔ  Ｅｍｉｔｔｉｎｇ  Ｄｉｏｄｅ）である。
【００１７】
反射板２８は、光源２７が発する光を配光制御する。反射板２８は、具体的には、下方に向かうにつれて拡径する筒状部材であり、内周面に鏡面コーティングが施されている。反射板２８の上方の開口に光が入射するよう光源２７は配置されている。
【００１８】
下胴体部２３は、図１に示すように、フード２３ａと、コーン２３ｂとを有する。
【００１９】
フード２３ａは、コーン２３ｂを覆う部材である。フード２３ａは、図３に示すように、フード筒部２３ａ１と、フード筒部２３ａ１の外面中間部から外方に突出し、後述する取付部材３３の一端部３３ａに支持されるフード鍔部２３ａ２とを有する。フード鍔部２３ａ２は、３個の取付部材３３に略等間隔に支持される。このようにフード鍔部２３ａ２が支持されることで、本体２が、取付枠３の下面に垂直な軸を中心に回転する動作（以下「本体回転動作」という。）が可能となっている。
【００２０】
コーン２３ｂは、下方が拡径する筒状の反射部材である。コーン２３ｂの内周面は、反射板の役割を果たすべく、鏡面コーティングが施されている。
【００２１】
なお、反射板２８、コーン２３ｂの内周面は、鏡面コーティングに限らず、所望の配光制御に適したコーティングが成されていれば足り、例えば、光散乱面で構成されてもよいし、適度な反射を実現すべく白塗装や、反射を抑えるべく黒塗装などがされていてもよい。
【００２２】
下胴体部２３と上胴体部２２とは、ネジ２４により、下胴体部２３の下面に平行な軸を中心に、回動可能に連結されている。これにより、照明装置１は、光の照射方向を、下胴体部２３の下面と垂直な面内で変更する動作（以下「首振り動作」という。）が可能となっている。
【００２３】
取付枠３は、取付穴６に本体２を固定するための部材である。取付枠３は、本体２を係合可能な機構を備え、取付穴６の径に応じた枠状の形態を有する。取付枠３は、具体的には、平板環状の壁部３１の下端からフランジ部３２が外方に突出し、取付部材３３が壁部３１にネジで固定されて成る。
【００２４】
図５（ａ）は、取付部材３３の記載を省略した取付枠３の構造を詳細に示す図である。取付枠３の開口領域３ｄは、取付穴６の形状に応じ円形領域となっている。図５（ａ）に示すように、フランジ部３２には切欠き部３２ａが設けられている。切欠き部３２ａは、取付枠３に化粧枠４を係合するのに用いられる。切欠き部３２ａは、図５（ｂ）に示すように、フランジ部３２の一部（部分３２ａ１と部分３２ａ２の間の部分）が、突起である鉤受け部３２ａ３を残して切り欠かれて成る。
【００２５】
取付部材３３は、壁部３１にネジ止めによって固定される板バネ部材である。照明装置１は、取付部材３３を一例として３個有する。各取付部材３３は、一部が天井５の上面５ｂに接触し付勢する。これにより、フランジ部３２と取付部材３３との間に天井５が挟まれる。その結果、天井に対して取付枠３が強固に固定される。
【００２６】
化粧枠４は、取付枠３の下面側に係合される枠状部材である。化粧枠４の開口領域４ｄは、取付枠３の開口領域３ｄの形状に応じ円形領域となっている。化粧枠４は、図６（ａ）に示すように、板状の環である環状部４ａの外周から壁部４ｂが立設して成る。壁部４ｂの一部には、図６（ｂ）に示すように切断、折り曲げなどの加工により鉤部４ｃが形成されている。鉤部４ｃは、化粧枠４を取付枠３、特にフランジ部３２の鉤受け部３２ａ３に係合するために用いられる。
【００２７】
鉤部４ｃは、具体的には、図７（ａ）及び図７（ｂ）に示すように、環状部４ａと略平行な板形状を有し、略中央が、環状部４ａの方向に凸である凸部になっている。
【００２８】
化粧枠４と取付枠３とを係合する場合、まず、鉤部４ｃが、取付枠３の下面側から、切欠き部３２ａが有する空間（図５（ｂ）における部分３２ａ１と、鉤受け部３２ａ３との間の空間）に位置するように、化粧枠４と取付枠３とが近接される（図７（ａ）参照）。
【００２９】
そして、化粧枠４を回転中心軸（一例として化粧枠４の開口中心を通り、化粧枠４の下面と垂直な軸）を中心に回動することで、鉤部４ｃが、フランジ部３２と相対的に、図７（ａ）中の矢印Ｒの方向に移動する。
【００３０】
その結果、図７（ｂ）に示すように、鉤部４ｃの凸部が、フランジ部３２の部分３２ａ２と、鉤受け部３２ａ３との間に嵌り込むと共に、鉤部４ｃと環状部４ａとで、フランジ部３２の部分３２ａ２と鉤受け部３２ａ３との少なくとも一方を挟みこむ。
【００３１】
以上により、化粧枠４と取付枠３とが係合し固定される。
【００３２】
このように、鉤部４ｃと鉤受け部３２ａ３による係合構造を用いることにより、化粧枠４の下面に穴をあけるなど下面形状を変えることで化粧枠４の美観を損なうことなく、化粧枠４を取付枠３と固定することができる。
【００３３】
また、照明装置１は光の照射方向を可変とするため、本体２と取付枠３とが回転可能となるように係合されている。そのため、両者を固着する場合に比べると、両者の固定が十分でない場合があり得る。この場合に、仮に、本体２に想定外の力が掛かり本体２が取付枠３から脱落したとしても、以下のように、本願の化粧枠４により本体２の落下防止を図ることができる。
【００３４】
まず、化粧枠４の開口領域４ｄは、取付枠３の開口領域３ｄよりも小さくなるよう構成されている。このため、化粧枠４が本体２を確実に支持し、本体２の落下を回避又は抑制できる。
【００３５】
また、上述のように取付枠３の開口領域３ｄと、化粧枠４の開口領域４ｄとが共に円形領域となっているため、化粧枠４を取付枠３から取り外すことなく、上述の首振り動作、本体回転動作を行って光の照射方向を連続的に変更できる。
【００３６】
図８は、天井５に照明装置１が嵌め込まれたときの図５に示す部分Ａ、具体的には、化粧枠４と取付枠３とが上述のように固定された場合の、本体２（特にフード２３ａ、及びコーン２３ｂ）、取付枠３及び化粧枠４の配置を示している。
【００３７】
図８に示すように、コーン２３ｂのコーン鍔部２３ｂ１は、フード２３ａの下端を包み込んで支持している。そして、コーン鍔部２３ｂ１は、化粧枠４に支持されている。
【００３８】
このため、取付枠３に嵌め込まれた本体２が、重力とは別に、風力など下方への力を受けた場合であっても、化粧枠４が本体２を支えることにより取付枠３から脱落するのを予防し、脱落したとしても下方に落下してしまうのを防ぐことができる。
【００３９】
以上のように、本願に係る照明装置は、本体の落下を防止することができるため、例えば軒下など、台風の場合に外部と天井内部との気圧差が生じるような設置場所においても好適に用いることができる。また、化粧板の外観を損なわないため、高級品を扱う店舗の照明などに好適に用いることができる。
【００４０】
＜２．変形例等＞
以上、本発明の主たる実施形態について説明したが、本発明は、上記の実施形態に限定されるものではない。
【００４１】
（１）上述の実施形態において、図８の図では、コーン鍔部２３ｂ１の下面が、化粧枠４の上面に接触し支持されているが、これに限らず、本体２が取付枠３から脱落した場合に、化粧枠４が本体２、主にコーン鍔部２３ｂ１を支持するように構成すれば足りる。例えば、コーン鍔部２３ｂ１の下面と、化粧枠４の上面とは少し離間するよう構成してもよい。
【００４２】
（２）本願における上、下、上面、下面という記載は、通常の場合における重力に対する方向を想定しているが、例えば天井が斜めに設置されている場合、その天井に略垂直な方向が上下方向となる。
【００４３】
（３）上述の実施形態では、照明装置１は、天井５に設置していたが、これに限らず、板材に設置すれば足りる。例えば、棚板やショーケース天板、その他の板材に設置してもよい。
【００４４】
（４）上述の実施形態では、化粧板４と取付枠３との固定は、鉤部４ｃと鉤受け部３２ａ３を係合させることにより行っていたが、これに限らず、化粧枠４の美観を損なうことなく固定可能な機構を用いて固定されていれば足りる。例えば、ホック、マグネット及びプッシュリベットなどで固定されてもよい。
【００４５】
（５）上述の実施形態では、照明装置１の具体例としてユニバーサルダウンライトを挙げていたが、これに限らず、他のタイプの照明装置であってもよい。例えば、グレアレスユニバーサルダウンライトであってもよい。
【００４６】
（６）上述の実施形態では、化粧枠４において、取付枠３と係合する機構は、化粧枠４の上面に備えていたが、これに限らず、化粧枠４の美感を損なうことのない位置に備えれば足りる。係合する機構を備える位置は、化粧枠４の下面以外の位置が望ましい。例えば、化粧枠４の側面に備えていてもよい。
【００４７】
また、取付枠３についても同様に、化粧枠４と係合する機構は、取付枠３の下面に備えていたが、これに限らず、化粧枠４の美感を損なうことなく取付枠３と化粧枠４とが係合できる位置に備えれば足りる。例えば、取付枠３の側面に機構のための機構を備えていてもよい。
【００４８】
（７）上述の実施形態では、開口領域３ｄ及び開口領域４ｄの形状は、円形としていたが、これに限らず、光源２７が発する光を配光制御できる形状であれば足りる。例えば、矩形であってもよいし、多角形、楕円などであってもよい。
【００４９】
（８）上述の実施形態では、光源としてＬＥＤ光源を用いているが、本発明はこれに限られない。光源として白熱球や蛍光灯等の他の光源を用いてもよい。
【００５０】
（９）上述の実施形態や各変形例において説明した各要素を、矛盾が生じない範囲で、任意に組み合わせてもよい。
【００５１】
＜３．発明の抽出＞
上記の実施形態および変形例から抽出される発明として、例えば、以下の発明を挙げることができる。
【００５２】
（１）下面と上面を備える板材に設けられた取付穴に設置可能な照明装置であって、前記取付穴に嵌め込まれて固定される取付枠と、前記取付枠に回転可能に嵌め込まれる本体と、前記取付枠の下面における前記取付穴から露出する部分に係合される化粧枠を備え、前記化粧枠の上面の一部が、前記本体を支持可能であることを特徴とする照明装置。
【００５３】
この構成によれば、照明装置において、光の照射方向の変更を担保しつつ、本体を確実に支持し、本体の落下を回避又は抑制できる。
【００５４】
（２）前記化粧枠は、前記化粧枠の下面以外の部分に前記取付枠との係合構造を備える、上述の照明装置。
【００５５】
この構成によれば、化粧枠の美観を保ちつつ化粧枠と取付枠を係合することができる。
【００５６】
（３）前記化粧枠は係合構造として鉤部を備え、前記取付枠の係合構造として切欠き部を備える、上述の照明装置。
【００５７】
この構成によれば、化粧枠を回転するだけで化粧枠の鉤部と取付枠の切欠き部を係合することが可能である。
【００５８】
（４）前記化粧枠の開口領域は、前記取付枠の開口領域よりも小さい、上述の照明装置。
【００５９】
この構成によれば、本体を確実に支持し、本体の落下を回避又は抑制できる。
【００６０】
（５）前記化粧枠の開口領域、及び前記取付枠の開口領域は共に円形である、上述の照明装置。
【００６１】
この構成によれば、化粧枠を取付枠から外すことなく連続的に照射方向を変更できる。
【符号の説明】
【００６２】
１      照明装置
２      本体
３      取付枠
３ｄ    開口領域
４      化粧枠
４ａ    環状部
４ｂ    壁部
４ｃ    鉤部
４ｄ    開口領域
５      天井
５ａ    天井下面
５ｂ    天井上面
６      取付穴
２１      ヒートシンク
２２      上胴体部
２３      下胴体部
２３ａ    フード
２３ａ１  フード筒部
２３ａ２  フード鍔部
２３ｂ    コーン
２３ｂ１  コーン鍔部
２４      ネジ
２５      電源線
２６      ワイヤ
２７      光源
２８      反射板
３１      壁部
３２      フランジ部
３２ａ    切欠き部
３３      取付部材
３４      ネジ
【図１】
2018060752.tif 000003
【図２】
2018060752.tif 000004
【図３】
2018060752.tif 000005
【図４】
2018060752.tif 000006
【図５】
2018060752.tif 000007
【図６】
2018060752.tif 000008
【図７】
2018060752.tif 000009
【図８】
2018060752.tif 000010